(57)【要約】      （修正有）【課題】着脱が容易で美観性を有するカメラ機能付き携帯情報端末保持装置を提供する。【解決手段】自分撮りに使用されるカメラ機能付き携帯情報端末を支える保持装置であり、情報端末の一側面が載置可能な載置面１２を備え、前方に張り出される基板１３と、基板の後端の両側部から上方に延伸した一対の柱部１４と、一対の柱部の上端に橋渡され、柱部の内部に組み込まれた付勢バネによって下方に向かって付勢押圧力を備え、載置面の直上において情報端末の他側面を押圧して固定可能な押圧部３１が設けられた棒体状の押さえ部１６とを有し、押さえ部には、幅広で手のひらで包囲できる略球形の引き手部１７が取り付けられている。引き手部の外表面に、動物やキャラクターの頭部が形成されているのが好ましい。【選択図】図２
0003200338.tif 000002
【実用新案登録請求の範囲】
【請求項１】
カメラ機能付き携帯情報端末のカメラ機能と連動するスイッチを備えた伸縮自在の持ち手部の先端に設けられた接続部と着脱可能に接続することができるカメラ機能付き情報端末の保持装置であって、
カメラ機能付き情報端末の一側面が載置可能な載置面を備え、前方に張り出されてなる基板と、前記基板の後端の両側部から上方に延伸した一対の柱部と、
前記一対の柱部の上端に橋渡されてなり、前記一対の柱部の内部に組み込まれた付勢バネとの弾性的系合によって下方に向かって付勢押圧力を備え、前記載置面の直上において前記一側面に対向するカメラ機能付き情報端末の他側面を押圧して固定可能な押圧部が設けられてなる棒体状の押さえ部とを有し、前記押さえ部には、幅広で手のひらで包囲できる略球形の引き手部が取り付けられてなる
ことを特徴とする撮影補助具用カメラ機能付き情報端末保持装置。
【請求項２】
前記押さえ部は、前記一対の柱部の上端に橋渡されてなる部分の左右中央部が前方に向かって凸状に折り曲げられている金属製の棒からなる
ことを特徴とする請求項１に記載の撮影補助具用カメラ機能付き情報端末保持装置。
【請求項３】
前記引き手部の外表面に、少なくとも目部、耳部、鼻部、若しくは口部のいずれかを備えることで、動物、若しくはキャラクターの頭部に形成されてなる
ことを特徴とする請求項１もしくは２に記載の撮影補助具用カメラ機能付き情報端末保持装置。
【考案の詳細な説明】
【技術分野】
【０００１】
本考案は、屋外などでカメラ付き携帯情報端末のカメラ機能を用いて自分撮りを行う時に使用する撮影補助具における前記撮影補助具のカメラ付き携帯情報端末を支える保持装置に関する。
【背景技術】
【０００２】
従来、自分撮り撮影用の撮影補助具の先行技術としては、公開実用昭５９−１１２２４１がある。これは、反射鏡を取り付けたコンパクトカメラを棒の先の三脚ねじに固定し、棒を持つ者自身にレンズを向け、リモートレリーズで自分撮りすることを想定した考案になっている。また、自分撮りをする場合においてカメラを取り付けた支持装置の一部が映り込まないように、棒体部を蛇腹状に折り曲げて使用できる自分撮り撮影用の撮影補助具が考案されている。
【先行技術文献】
【特許文献】
【０００３】
【特許文献１】公開実用昭５９−１１２２４１
【特許文献２】実用新案登録第３１９６９６２号
【考案の概要】
【考案が解決しようとする課題】
【０００４】
しかし、従来の撮影補助具では、カメラ機能付き携帯情報端末の保持装置への固定がネジ止めであったり、保持装置に設けられた引き手の形状が力の入りにくい形状をしており、不便であった。
【０００５】
また、従来の撮影補助具は機能だけに重点を置いたものが多く、構造が美観性に欠けていて撮影補助具自体の美観性には訴求していなかった。
【課題を解決するための手段】
【０００６】
本考案は、上記問題点に鑑みて、カメラ機能付き携帯情報端末のカメラ機能と連動するスイッチを備えた伸縮自在の持ち手部の先端に設けられた接続部と着脱可能に接続することができるカメラ機能付き情報端末の保持装置であって、カメラ機能付き情報端末の一側面が載置可能な載置面を備えると共に前方に張り出されてなる基板と、前記基板の後端の両側部から上方に延伸した一対の柱部と、前記一対の柱部の上端に橋渡され、前記一対の柱部の内部に組み込まれた付勢バネとの弾性的系合によって下方に向かって付勢押圧力を備え、前記載置面の直上において前記一側面に対向するカメラ機能付き情報端末の他側面を押圧して固定可能な棒体状の押さえ部とを有し、前記押さえ部には、幅広で手のひらで包囲できる略卵形状の引き手部が取り付けられてなることを特徴とする撮影補助具用カメラ機能付き情報端末保持装置である。
【０００７】
引き手部は、人間の手のひら程度の表面積を有することが好ましい。手のひらで把持し易く、引き手を引き上げる際に力が入り易いからである。
【０００８】
前記押さえ部は、前記一対の柱部の上端に橋渡されてなる部分の左右中央部が前
方に向かって凸状に折り曲げられている金属製の棒からなることを特徴とする撮影
補助具用カメラ機能付き情報端末保持装置であることが好ましい。
【０００９】
前記凸状に折り曲げられている金属製の棒を前記略球形の引き手部と突合することにより、引き手部が前記保持装置に装着される。
【００１０】
前記引き手部の外表面には、少なくとも、目部、耳部、鼻部、若しくは口部のいずれかを備えることによって、前記引手部が、動物、若しくはキャラクターの頭部に形成されてなることが好ましい。
【考案の効果】
【００１１】
前記のように構成された本考案のカメラ機能付き携帯情報端末の保持装置によれば、手のひらで包囲できる形状を有した前記引き手部に力を入れて押さえ部を引き伸ばしやすく、カメラ機能付き携帯情報端末を着脱するときの不便さが解消される効果を有する。
【００１２】
また、前記引き手部が動物、若しくはキャラクターの頭部に形成されることにより、撮影補助具自体の美観性が向上する。
【図面の簡単な説明】
【００１３】
【図１】撮影補助具１の全体を示す斜視図である。
【図２】保持装置５と接続部１１との接続構造を示す図である。
【図３】保持装置５を取り付けた状態の撮影補助具１の全体を示す斜視図である。
【図４】押さえ部１６及び引き手部１７の分解斜視図である。
【図５】猫のキャラクターに模した引き手部１７を備えた保持装置５がカメラ機能付き携帯情報端末４を固定した様子を示す正面図である。
【考案を実施するための形態】
【００１４】
以下、図面を参照しながら本考案の実施形態について詳しく説明する。
【００１５】
図１にカメラ機能付き携帯情報端末４が固定された状態の撮影補助具１の全体を示している。撮影補助具１は、基端部に持ち手部２を有する継管群からなる棒体部３と、前記棒体部３の先端に設けられた接続部１１とからなり、接続部１１に対しカメラ機能付き携帯情報端末４の保持装置５が着脱可能に接続されてなる。前記接続部１１は、前後方向に角度を変えられる角度調整用部材１０と、角度調整用部材１０と枢着されてなる角度調整用取付部材１８とから構成されてなる。前記角度調整用部材１８は、側面に設けられたつまみ２７を回転させることで角度調整用取付部材１０との枢着を緩めて仰角方向の撮影角度を調整できる。前記角度調整用取付部材１８には、図２に示すように、上部に固定ネジ部２８が固着されており、保持装置５の下端面にはネジ穴２９が設けられている。前記固定ネジ部２８とネジ穴２９とを締め合わせることで保持装置５と接続部１１とが着脱可能となる。また、前記角度調整用取付部材１８には、角度調整用スイッチ３０が付いており、前記角度調整用スイッチ３０を左右に回すと固定ネジ部２８を締めたり緩めたりすることができ、保持装置５を左右方向に角度を変えることもできる。
【００１６】
前記持ち手部２にはスイッチ６が設けられ、前記スイッチ６を基端にする電気コード７が接続され、前記電気コード７は棒体部３の管内を挿通し、前記棒体部３の先端に引き出されてなり、前記電気コード７の先端に設けられたイヤホンプラグ８をカメラ機能付き携帯情報端末４のイヤホンジャック９に挿入することにより、前記スイッチ６を押すと、離れた位置からの自分撮りが可能となる。
【００１７】
本考案に係る保持装置５は、図３に示すように、カメラ機能付き情報端末４の一側面が載置可能な載置面１２を備え、前方に張り出されてなる基板１３と、前記基板１３の後端の両側部から上方に延伸した一対の柱部１４と、前記一対の柱部１４の上端に橋渡されてなり、前記一対の柱部１４の内部に組み込まれた付勢バネとの弾性的系合によって下方に向かって付勢押圧力を備え、前記載置面１２の直上において前記一側面に対向するカメラ機能付き情報端末４の他側面を押圧して固定可能な棒体状の押さえ部１６とを有し、前記押さえ部１６には、幅広で手のひらで包囲できる略卵形状の引き手部１７が取り付けられてなる。引き手部１７の下端部には、柔らかい樹脂で形成されたパッド３１が設けられることによって、押さえ部１６の押圧力でパッド３１によって固定されたカメラ機能付き情報端末４の他側面に傷がつかないようにすることができる。
【００１８】
前記押さえ部１６は、図４に示すように、引き手部１７を構成する半球形の構造物１９ａ、１９ｂに挟み込まれてなり、前記一対の柱部１４の上端に橋渡しされてなる部分の左右中央部が前方に向かって凸状に折り曲げられている屈曲部１５を有する。
【００１９】
引き手部１７は、図４に示すように内部が空洞になった一対の半球形の構造物１９ａ、１９ｂからなる。引き手部１７を構成するには、まず押さえ部１６の屈曲部１５を前記半球形の構造物１９aの内面に設けられた挿し込み穴２０に嵌めることにより突合する。その後、半球形の構造物１９ａと半球形の構造物１９ｂとを重ね合わせることにより行う。半球形の構造物１９ａの内面に設けられたネジ穴２１にネジ２２を嵌入することで半球形の構造物１９ａ、１９ｂを互いに固定することができ、この時、半球形の構造物１９ｂに設けられた凸部２３に押さえ部１６が当接することで、引き手部１７の前後方向へのぐらつきを防止することができる。
【００２０】
これにより、図２に示すように突合された引き手部１７が一つの美観性に優れた構造物を形成し、撮影補助具１自体の美観が向上する。
【００２１】
さらに、引き手部１７の形状が略卵形状に形成されることにより、カメラ機能付き携帯情報端末４を着脱する時に、引き手が持ちやすくなり利便性が向上する。
【００２２】
前記引き手部１７の外表面に、図２に示すように、目部２３、耳部２４、鼻部２５及びヒゲ２６が備えられてなることにより、猫のキャラクターの頭部に形成されてなる。
【００２３】
これにより、前記引き手部１７が動物、若しくはキャラクターの頭部が形成され撮影補助具自体の美観が向上する。
【符号の説明】
【００２４】
１  撮影補助具
２  持ち手部
３  棒体部
４  カメラ機能付き携帯情報端末
５  保持装置
１１  接続部
１２  載置面
１３  基板
１４  柱部
１６  押さえ部
１７  引き手部
【図１】
0003200338.tif 000003
【図２】
0003200338.tif 000004
【図３】
0003200338.tif 000005
【図４】
0003200338.tif 000006
【図５】
0003200338.tif 000007